(57)【特許請求の範囲】
【請求項１】
舞台における床上に設置されあるいは上記の舞台における上方空間に垂下される吊り物を吊持する牽引部材と、この牽引部材の基端を連結させて駆動時にこの牽引部材の巻き取りあるいは送り出しを可能にする巻き取り機構とを有してなる吊り物装置において、上記の牽引部材が上記の舞台における天井側に設けられる簀の子に移動可能に配設のシーブを介して上記の巻き取り機構に連結され、上記の巻き取り機構が上記の舞台における上方空間を画成する袖壁に配設されており、上記の牽引部材が上記の吊り物を上記の舞台の客席寄りとなる前方から吊持する前方の牽引部材と、上記の舞台の奥壁寄りとなる後方から吊持す後方の牽引部材とからなり、上記の前方の牽引部材および後方の牽引部材がそれぞれ左右で一対とされてなることを特徴とする吊り物装置。
【請求項２】
上記の吊り物が巻き上げ式あるいは折り畳み式のスクリーンとされてなる請求項１に記載の吊り物装置。
【請求項３】
上記の巻き取り機構は上記の左右となる前方の牽引部材の基端を連結させて一対とされると共に、上記の左右となる後方の牽引部材の基端を連結させて一対とされてなる請求項１または２に記載の吊り物装置。
【請求項４】
上記の吊り物は、ブリッジを介して上記の牽引部材に吊持されている請求項１、２または３に記載の吊り物装置。
【請求項５】
上記の牽引部材がワイヤロープとされてなる請求項１、２、３または４に記載の吊り物装置。
【請求項６】
上記の駆動機構がウインチからなる請求項１、２、３、４また５に記載の吊り物装置。
【発明の詳細な説明】
【技術分野】
【０００１】
この発明は、吊り物装置に関し、特に、多目的ホールなどの舞台における天井側に吊持される吊り物を舞台における床上に設置したり舞台における上方空間に垂下させたりする吊り物装置の改良に関する。
【背景技術】
【０００２】
多目的ホールなどの舞台における天井側に吊持される吊り物を舞台における床上に設置したり舞台における上方空間に垂下させたりする吊り物装置としては、これまでに種々の提案がある。
【０００３】
その中で、たとえば、特許文献１には、吊り物としてのいわゆるパーツ分けされた音響反射板を舞台における天井のやや下方に設けた、すなわち、天井側に設けた葡萄棚状の簀の子から垂下させる吊り物装置の提案が開示されている。
【０００４】
すなわち、この特許文献１に開示の提案にあっては、音響反射板が簀の子上に配設のシーブを介して牽引部材たるワイヤロープで吊持される一方で、このワイヤロープの基端が同じく簀の子上に配設の巻き取り機構に連結される。
【０００５】
その一方で、この音響反射板は、さらなるワイヤロープでも吊持され、このさらなるワイヤロープの基端も、簀の子上に配設の別のシーブを介してやはり簀の子上に配設の別の巻き取り機構に連結される。
【０００６】
そして、言わば二つのシーブは、簀の子上にあって、たとえば、舞台と客席側とを結ぶ方向たる前後方向に適宜の距離をおいて配置され、また、言わば二つの巻き取り機構も、上記の提案では、簀の子上にあって同じ方向たる前後方向に適宜の距離をおいて配置される。
【０００７】
それゆえ、この特許文献１に開示の提案によれば、言わば前後となる巻き取り機構を選択的に駆動制御することで、言わば前後となるワイヤロープで吊持される音響反射板を舞台における床上の任意位置に設置したり舞台における上方空間の任意位置に垂下させたりできる。
【先行技術文献】
【特許文献】
【０００８】
【特許文献１】特開２００１‐５４６８７号公報（要約，図１参照）
【発明の概要】
【発明が解決しようとする課題】
【０００９】
しかしながら、上記した特許文献１に開示の提案にあっては、牽引部材たるワイヤロープで吊持される吊り物を舞台における床上に設置したりあるいは舞台における上方空間に垂下させたりできる点で、基本的に問題がある訳ではないが、利用の実際を勘案すると、些かの不具合があると指摘される可能性がある。
【００１０】
すなわち、凡そ多目的ホールは、舞台を利用しない場合もあるが、舞台を利用する場合でも、演劇や演奏あるいは公演など種々のイベントに利用されることを前提にしている。
【００１１】
そして、舞台が利用される場合、たとえば、言わば定番とされる演劇や演奏に利用される場合には、吊り物装置についても、上記した特許文献１に開示されているように、定型の吊り物が利用され、また、吊り物が定型通りに移動などされることで足りる。
【００１２】
その一方で、舞台が公演や討論会などで利用される場合に、同じ舞台上に吊り物たるスクリーンを設置したり吊持したりして、モニター画面として利用する場合がある。
【００１３】
このとき、舞台上のスクリーンに対する客席側からの視認性を低下させないのはもちろんのこと、併せて、舞台上の公演者や討論者の視界にも入るようにするために、いわゆる二次元方向だけでなく三次元方向にも傾斜可能とされることが肝要になる。
【００１４】
にも拘わらず、上記した特許文献１に開示の提案にあっては、吊り物たるスクリーンの吊持を可能にするが、このスクリーンを二次元方向だけでなく三次元方向にも傾斜可能に吊持し得るとはしない。
【００１５】
この発明は、このような現状を鑑みて創案されたものであって、その目的とするところは、種々の吊り物の吊持を可能にするのはもちろんのこと、吊り物を種々の態様に吊持し得るようにして、その汎用性の向上を期待するのに最適となる吊り物装置を提供することである。
【課題を解決するための手段】
【００１６】
上記した目的を達成するために、本発明の課題解決手段は、  舞台における床上に設置されあるいは上記の舞台における上方空間に垂下される吊り物を吊持する牽引部材と、この牽引部材の基端を連結させて駆動時にこの牽引部材の巻き取りあるいは送り出しを可能にする巻き取り機構とを有してなる吊り物装置において、上記の牽引部材が上記の舞台における天井側に設けられる簀の子に移動可能に配設のシーブを介して上記の巻き取り機構に連結され、上記の巻き取り機構が上記の舞台における上方空間を画成する袖壁に配設されており、上記の牽引部材が上記の吊り物を上記の舞台の客席寄りとなる前方から吊持する前方の牽引部材と、上記の舞台の奥壁寄りとなる後方から吊持す後方の牽引部材とからなり、上記の前方の牽引部材および後方の牽引部材がそれぞれ左右で一対とされてなることを特徴とするものである。
【発明の効果】
【００１７】
それゆえ、この発明にあっては、吊り物を吊持する牽引部材が簀の子に移動可能に配設のシーブを介して巻き取り機構に連結されるから、このシーブの配設位置が簀の子に対して変更されたとき、吊り物の吊持位置を変更し、吊り物の態勢を変更し得る。
【００１８】
ただし、簀の子に対するシーブの配設位置を変更しなくても、巻き取り機構における牽引部材の巻き取り量あるいは送り出し量を変更することで、吊り物の態勢を変更し得る。
しかし、シーブを簀の子に移動可能に配設したので、巻き取り機構における牽引部材の巻き取り、送り出し作動と連動して吊り物の移動方向にシーブを移動した時、シーブが固定状態に維持されている場合に比較して、より迅速に吊り物を移動し得る。
そしてまた、吊り物を二次元方向あるいは三次元方向に傾斜させるについて、シーブを簀の子上で移動させた場合には、いわゆる無理のない牽引部材による吊り物の吊持が可能になる。
【００１９】
そして、この発明にあっては、牽引部材の基端を連結させる巻取り機構が舞台における上方空間を画成する袖壁に配設されるから、この巻き取り機構が言わば互いに対向する袖壁間に架設される簀の子上に配設される場合に比較して、たとえば、規模を大きくして稼働効率を良くすることが可能になる。
【００２０】
その結果、この発明によれば、吊り物を種々の態勢に設定できると共に稼動効率を良くする巻き取り機構を利用でき、吊り物の移動などを速やかに実現できる。
【図面の簡単な説明】
【００２１】
【図１】この発明による吊り物装置の一実施形態を原理的に示す概略斜視図である。
【図２】図１の吊り物装置の一部を舞台の袖壁側から看た状態を原理的に示す概略側面図である。
【図３】この発明による吊り物装置を利用した吊り物の態勢を舞台の天井側から看た状態を原理的に示す概略平面図である。
【図４】この発明による吊り物装置の他の実施形態における一部を図２と同様に示す概略側面図である。
【発明を実施するための形態】
【００２２】
以下に、図示した実施形態に基づいて、この発明を説明するが、この発明による吊り物装置は、吊り物を牽引部材で吊持すると共に、この吊り物の利用状態を現出し、また、不使用時における吊り物の収納状態を現出する。
【００２３】
すなわち、この発明による吊り物装置は、図１および図２に示すように、基本的には、舞台（符示せず）における床Ｆ（図２参照）上に設置され、あるいは、舞台における上方空間Ａ（図２参照）に垂下される吊り物たるスクリーン１を吊持する牽引部材たるワイヤロープ２，３と、このワイヤロープ２，３の基端を連結させて駆動時にこのワイヤロープ２，３の巻き取りあるいは送り出しを可能にする巻き取り機構４，５とを有してなる。
【００２４】
なお、舞台なる語は、一般的には、段差を有して客席Ｇと画成されて演技者などが立ち入る床Ｆを有する平面領域と、この平面領域の上方空間Ａとを含む総称とされる。
【００２５】
そこで、この発明の説明にあっても、原則的には、同様の意味で使用するが、図示するところでは、床Ｆと上方空間Ａとを分けても使用する。
【００２６】
ところで、この吊り物装置における吊り物としては、図示するスクリーン１を初めとして、図示しないが、緞帳やホリゾント幕、さらには、音響反射板や背景板など種々のものがあるが、この発明における提案の趣旨からすると、凡そ吊り下げ式にして移動可能な構成であれば良く、その限りにおいて、任意のものを選択できる。
【００２７】
ただ、移動可能と言っても、組立式のものは、移動のための分解作業や移動先での組立作業を必須にする点で好ましくなく、たとえば、図示するように、吊り物がスクリーン１とされるとき、このスクリーン１が巻き上げ式や折畳み式に形成されるのが良く、この場合には、設置性を良くする上で有利となる。
【００２８】
ところで、スクリーン１は、多くの場合に、客席Ｇの後方の映写室（図示せず）からの投影を受けるいわゆる正面式に形成されるが、スクリーン１の背面側に投影設備が配設される背面式であっても良い。
【００２９】
なお、スクリーン１を巻き取り式や折り畳み式に設定するについては、任意の構成が選択されて良いが、図示する巻き取り式のスクリーン１にあっては、舞台の間口方向に延設される巻き取り体（図示せず）にスクリーン１の基端たる上端が一体的に連結される。
【００３０】
このとき、上記の巻き取り体は、たとえば、詳しくは図示しないが、駆動源１１（図１参照）を保持する収納箱１２内に収装され、駆動源１１の駆動で回動するときにスクリーン１を巻き上げあるいは送り出す。
【００３１】
そして、スクリーン１の垂下される先端たる下端は、オモリを兼ねる下端棒１３を有してスクリーン１を所定の緊張状態に維持すると共に、図示するところでは、スクリーン１の下端が舞台の床Ｆに接触するかあるいは接触しないかの状態に垂下されるが、これに代えて、図示しないが、スクリーン１の下端の下端棒１３が舞台の床Ｆに連結されても良い。
【００３２】
ちなみに、スクリーン１の上端が巻き取り体に一体的に連結されると共に、スクリーン１の下端が下端棒１３に一体的に連結されることで、スクリーン面１ａが所定の緊張状態に維持されるから、この意味からすると、スクリーン１の下端は、舞台の床Ｆと分離されるのが良い。
【００３３】
一方、上記の巻き取り体に連結される駆動源１１は、減速器付きの電動モータからなり、この電動モータに接続されるリード線１１ａ（図１参照）は、舞台の上方の天井（図示せず）下方に設けられる葡萄棚状の簀の子６（図２参照）に配置されるコードリール１１ｂ（図１参照）に接続され、このコードリール１１ｂには、商用電流が供給される。
【００３４】
なお、スクリーン１の上端を連結させる巻き取り体を収装する収容箱１２は、図示するところでは、ブリッジ７に吊持され、このブリッジ７に牽引部材たるワイヤロープ２，３が連結される。
【００３５】
そして、ブリッジ７は、これに吊持されるスクリーン１の重量負担に最適となるように選択されるもので、この観点からすると、このブリッジ７に代えて、図示しないが、バトンが利用されても良いことはもちろんであり、また、このブリッジ７がバトンに吊持され、このバトンに牽引部材が連結されても良い。
【００３６】
以上のような前提の下に、この発明による吊り物装置にあっては、牽引部材たるワイヤロープ２，３が前記した簀の子６に移動可能に配設のシーブ２１，３１を介して巻き取り機構４，５に連結され、この巻き取り機構４，５が舞台における上方空間Ａを画成する袖壁（図示せず）に配設される。
【００３７】
少し説明すると、先ず、牽引部材は、スクリーン１の前方からこのスクリーン１を牽引する言わば客席Ｇ寄りの、すなわち、前方のワイヤロープ２と、スクリーン１の後方からこのスクリーン１を牽引する言わば舞台の奥側寄りの、すなわち、後方のワイヤロープ３とからなる。
【００３８】
このとき、前方のワイヤロープ２および後方のワイヤロープ３は、舞台の奥側と客席Ｇ側とを結ぶ前後方向で一対とされると共に、スクリーン１を舞台の間口方向となる左右部で吊持するから、いわゆる左右でも一対とされて、前方のワイヤロープ２ａ，２ｂおよび後方のワイヤロープ３ａ，３ｂの計四本となる。
【００３９】
もっとも、前方のワイヤロープ２および後方のワイヤロープ３のいずれか、あるいは、両方を長短してスクリーン１を前後させ、あるいは、昇降させるについては、図示しないが、ワイヤロープ２，３をいわゆるダブル仕様にしなくても良い。
【００４０】
すなわち、ワイヤロープ２，３にあって、舞台の間口方向に左右となる二本のワイヤロープ２ａ，２ｂおよび３ａ，３ｂをそれぞれ一本にしても、この各一本となるワイヤロープ２，３を選択的に長短することで、スクリーン１を前後させ、あるいは、昇降させることが可能になる。
【００４１】
ただ、ワイヤロープ２および３をダブル仕様にするか、あるいは、各一本とするかに拘わらず、スクリーン１を前後させ、あるいは、昇降させる際には、スクリーン１が傾斜することを阻止する必要があり、このスクリーン１の傾斜阻止の方策については任意の方策が選択されて良い。
【００４２】
そして、巻き取り機構４，５は、図示するところでは、計四本となるワイヤロープ２ａ，２ｂ，３ａ，３ｂにおける前方のワイヤロープ２ａを連結させる巻き取り機構４ａと、前方のワイヤロープ２ｂを連結させる巻き取り機構４ｂと、後方のワイヤロープ３ａを連結させる巻き取り機構５ａと、後方のワイヤロープ３ｂを連結させる巻き取り機構５ｂの計四基とされる。
【００４３】
一方、巻き取り機構４ａ，４ｂ，５ａ，５ｂであるが、基本的には、ウインチからなり、ワイヤロープ２ａ，２ｂ，３ａ，３ｂの巻き取りおよび送り出しを可能にするドラム４１，４２，５１，５２を有し、このドラム４１，４２，５１，５２は、図示しないがそれぞれの駆動源の駆動で回動する。
【００４４】
ところで、巻き取り機構４，５は、この発明にあって、舞台の上方空間Ａを画成する袖壁（図示せず）に配設され、それゆえ、この巻き取り機構４，５が舞台の上方の簀の子６上に配設される場合に比較して、つまり、前記した特許文献１に開示のように巻き取り機構が言わば互いに対向する袖壁間に架設される簀の子上に配設される場合に比較して、たとえば、規模を大きくして稼働効率を良くすることが可能になり、吊り物たるスクリーン１の移動などを速やかに実現できる。
【００４５】
そして、この巻き取り機構４，５が規模を大きくする場合には、たとえば、ドラム４１，４２，５１，５２を大径に形成できると共に、高速で回転させることが可能になり、ワイヤロープ２，３の時間当たりの移動速度を速くして吊り物の速やかな移動を実現し得る。
【００４６】
一方、上記の巻き取り機構４，５が舞台の上方空間Ａを画成する袖壁に配設されることに関してだが、先ず、凡そ袖壁は、簀の子より堅牢に形成されることは自明である。
【００４７】
何故なら、この種の多目的ホールや劇場などの築造の際には、柱および梁が構造部材とされるのはもちろんだが、袖壁も構造部材とされることがあり、また、構造部材とされないにしても、いわゆる化粧壁ではないので、構造部材に近い強度を有するように築造される。
【００４８】
このことからして、この袖壁に簀の子６を支承させることがあり、したがって、この簀の子６と比較すれば、袖壁の方が遥かに堅牢に形成されるから、上記した巻き取り機構４，５が簀の子６上に配設される場合に比較して袖壁に配設される場合の方が巻き取り機構４，５を、たとえば、大きく形成することが可能になり、吊り物を移動などさせる際の作業効率を良くすることが可能になる。
【００４９】
また、この種の多目的ホールや劇場などにおける袖壁には、図示しないが、キャットウォークが設けられることがあり、それゆえ、このキャットウォークにあるいはこのキャットウォークに近隣するように巻き取り機構４，５が配設される場合には、このキャットウォークを利用して巻き取り機構４，５に対するメンテを実践し得る点でも有利となろう。
【００５０】
また、同じく図示しないが、巻き取り機構４，５がキャットウォークに移動可能に配設されるなどして結果的に袖壁に移動可能に配設される場合には、後述するように、シーブ２１，３１が移動可能に簀の子６に配設されることに対応し得る。
【００５１】
以上からして、この発明では、巻き取り機構４，５が舞台における上方空間Ａを画成する袖壁に配設されるとし、その結果、巻き取り機構４，５を、たとえば、大きく形成し得るのはもちろんのこと、この巻き取り機構４，５を簀の子６上に配設しないから、その分簀の子６上を他の用途に利用することを可能にする利点がある。
【００５２】
ところで、牽引部材たるワイヤロープ２，３は、所定の引っ張り強度を有する点で、たとえば、鎖より牽引部材として優れるが、いわゆる曲率の小さい曲げに対しては弱く、したがって、ブリッジ７に先端たる下端が連結されるワイヤロープ２，３は、簀の子６上のシーブ２１，３１および２２，３２でいわゆる方向変換されて基端が巻き取り機構４，５に連結される。
【００５３】
すなわち、先端がブリッジ７に連結されてほぼ上下方向に移動するワイヤロープ２，３は、シーブ２１，３１および２２，３２を介して途中で水平方向に方向変換され、袖壁に配設の巻き取り機構４，５に基端が連結される。
【００５４】
そして、この発明の吊り物装置にあって、シーブ２１，３１は、簀の子に移動可能に配設され、このとき、シーブ２２，３２にあっても、シーブ２１，３１に同期して移動可能とされるのが良い。
【００５５】
ちなみに、シーブ２１，３１を簀の子に対して移動可能に配設するについては、任意の構成が選択されて良く、また、シーブ２１，３１の移動に同期するシーブ２２，３２の配設についても、任意の構成が選択されて良い。
【００５６】
その結果、この発明の吊り物装置にあっては、牽引部材たるワイヤロープ２，３を介装させるシーブ２１，３１の簀の子に対する配設位置を選択することで、また、巻き取り機構４，５による巻き取り長さおよび送り出し長さを区々に選択することで、スクリーン１を所望の状態におくことが可能になる。
【００５７】
すなわち、図１に示すところにあって、前方のワイヤロープ２ａ，２ｂを短くすると共に後方のワイヤロープ３ａ，３ｂを長くする場合には、図２中に仮想線図で示すように、スクリーン１を客席Ｇ寄りとなる舞台の前方側に位置決めることが可能になる。
【００５８】
そして、上記と逆に、前方のワイヤロープ２ａ，２ｂを長くすると共に後方のワイヤロープ３ａ，３ｂを短くする場合には、図２中に実線図で示すように、スクリーン１を舞台の奥側に位置決めることが可能になる。
【００５９】
以上のように、前方のワイヤロープ２および後方のワイヤロープ３のいずれか一方を優先して長くする場合には、スクリーン１を舞台における床Ｆ上に起立させるように位置決める、すなわち、使用状態におくことが可能になる。
【００６０】
このとき、シーブ２１および３１は、それぞれが簀の子６に移動可能に配設されているので、巻き取り機構４，５における牽引部材たるワイヤロープ２、３の巻き取り、送り出し作動と連動してスクリーン１の移動方向にシーブ２１、３１を移動した時、シーブ２１，３１が固定状態に維持されている場合に比較して、より迅速にスクリーン１を移動し得る。
【００６１】
上記に対して、図示しないが、前方ワイヤロープ２および後方ワイヤロープ３のいずれか一方を優先して短くする場合にはスクリーン１を舞台における上方空間Ａに位置決める、すなわち、収納状態におくことが可能になる。
【００６２】
そして、このときにも、シーブ２１および３１が簀の子６に固定状態に維持されるよりもスクリーン１の移動方向に移動可能とされるのが良く、この場合にもスクリーン１をより迅速に移動し得る。
【００６３】
それゆえ、この発明にあっては、牽引部材たるワイヤロープ２，３の長さを区々に選択することで、舞台にあって、スクリーン１を所望の使用状態あるいは不使用状態のいずれかに位置決めることが可能になる。
【００６４】
一方、上記したところに対して、たとえば、図３中に実線図で示すところから、すなわち、舞台の間口方向に沿うスクリーン１を、図３中に仮想線図で示すように、この間口方向に対して傾斜させるについては、前方のワイヤロープ２ｂを長くして緩める一方で、後方のワイヤロープ３ｂを短くして緊張すると、図３中で右側部となるスクリーン１の一側部が舞台の奥壁方向に後退させられ、スクリーン１が二次元方向に傾斜される。
【００６５】
このとき、図３中で左側部となるスクリーン１の他側部は、前記した実線図で示す位置から仮想線図で示す位置に僅かに後退されても良いが、元に位置に維持されても良く、その調整は、巻き取り機構４ａ，４ｂ，５ａ，５ｂに対する選択された制御で具現化される。
【００６６】
そして、この図３に示すところにおいて、スクリーン１の下端位置が図中に仮想線図で示す位置とされながら、この下端が舞台の床Ｆに接続されて固定される上で、スクリーン１の図３中で左右端となる上端が客席Ｇ側に傾倒される場合には、図示しないが、スクリーン１が三次元方向に傾斜される。
【００６７】
そしてまた、この図３に示すところでは、シーブ２１，３１は、言わば固定状態に維持される前提であるが、上記のスクリーン１を二次元方向あるいは三次元方向に傾斜させるについて、シーブ２１，３１を併せて簀の子６上で移動させた場合には、いわゆる無理のない牽引部材２，３によるスクリーン１の吊持が可能になる
【００６８】
図４は、この発明による吊り物装置で、吊り物たるパネル式スクリーン１０を吊持するもので、この場合には、後方の牽引部材３の先端が吊り物に対して分離可能に連結される。
【００６９】
したがって、この実施形態の場合には、図示しないが、後方の牽引部材３が前記した図１および図２に示すように吊り物を保持するブリッジ７の上端に連結される場合に、このパネル式スクリーン１０をいわゆる垂直状態に配設することを可能にする。
【００７０】
その一方で、図４に示すように後方の牽引部材３の先端をパネル式スクリーン１０に言わば直に連結する場合には、たとえば、パネル式スクリーン１０の下端を舞台の床Ｆに着座させた状態で、あるいは、パネル式スクリーン１０の下端を舞台の床Ｆに着座させない状態で、このパネル式スクリーン１０をいわゆる前傾状態に立設させることを可能にする。
【００７１】
そして、この図４に示す実施形態にあっても、前記した図３に示す実施形態の場合と同様に、パネル式スクリーン１０を二次元方向に傾斜し得るのはもちろんのこと、三次元方向にも傾斜させ得る。
【００７２】
前記したところでは、巻き取り機構４，５は、それぞれ二本となる各ワイヤロープ２ａ，２ｂ，３ａ，３ｂの基端をそれぞれ単一となるドラム４１，４２，５１，５２に連結させるが、これに代えて、図示しないが、ワイヤロープ２ａ，２ｂあるいは３ａ，３ｂごとにドラム４１，５１があって、それぞれが単一の駆動源で駆動され、あるいは、個別の駆動源で駆動されても良い。
【００７３】
また、前記したところでは、吊り物としてスクリーン１を例示したが、前述したように、この発明の構成からすれば、吊り物として、たとえば、音響反射板や背景板が選択されても良く、また、緞帳やホリゾント幕などが吊り物として選択されても良いことはもちろんである。
【産業上の利用可能性】
【００７４】
稼働効率の良い巻き取り機構を装備でき、したがって、吊り物の移動などを速やかに実現できるようにするのに向く。
【符号の説明】
【００７５】
１  吊り物たるスクリーン
１ａ  スクリーン面
牽引部材たるワイヤロープ
２ａ，２ｂ  前方のワイヤロープ
３ａ，３ｂ  後方のワイヤロープ
４，４ａ，４ｂ，５，５ａ，５ｂ  巻き取り機構
６  簀の子
７  ブリッジ
１０  吊り物たるパネル式スクリーン
１１  下端棒
１１ａ  リード線
１１ｂ  コードリール
２１，２２，３１，３２  シーブ
４１，４２，５１，５２  ドラム
Ａ  上方空間
Ｆ  床
Ｇ  客席
【図１】
0005432670.tif 000002
【図２】
0005432670.tif 000003
【図３】
0005432670.tif 000004
【図４】
0005432670.tif 000005